(57)【要約】【課題】キーワード推薦基準に従って広告キーワードを推薦する方法およびシステムを提供する。【解決手段】キーワード推薦基準に従って広告キーワードを推薦する方法は、広告主からキーワードの入力を受ける段階と、広告主からキーワード推薦基準の選択を受ける段階と、キーワード推薦基準に従って、拡張した広告キーワードを推薦する段階とを含むことを特徴とする。【選択図】図５
2008276770.tif 000002
【特許請求の範囲】
【請求項１】
広告キーワード推薦方法において、
広告主からキーワードの入力を受ける段階と、
前記広告主からキーワード推薦基準の選択を受ける段階と、
前記キーワード推薦基準に従って、拡張した広告キーワードを推薦する段階と、
を含むことを特徴とするキーワード推薦方法。
【請求項２】
広告主からキーワード推薦基準の選択を受ける前記段階は、
前記広告主から、広告に対するクリックあたりの費用（Ｐａｙ  Ｐｅｒ  Ｃｌｉｃｋ）を前記キーワード推薦基準として選択を受け、
前記キーワード推薦基準に従って、拡張した広告キーワードを推薦する前記段階は、
前記広告に対するクリックあたりの費用に基づいて、拡張した広告キーワードを推薦することを特徴とする請求項１に記載の広告キーワード推薦方法。
【請求項３】
広告主からキーワード推薦基準の選択を受ける前記段階は、
前記広告主からキーワードに対する照会数を前記キーワード推薦基準として選択を受け、
キーワード推薦基準に従って、拡張した広告キーワードを推薦する前記段階は、
前記キーワードに対する照会数に基づいて、拡張した広告キーワードを推薦することを特徴とする請求項１に記載の広告キーワード推薦方法。
【請求項４】
広告主からキーワード推薦基準の選択を受ける前記段階は、
前記広告主から露出回数に対するクリック数（Ｃｌｉｃｋ  Ｔｈｒｏｕｇｈ  Ｒａｔｅ）を前記キーワード推薦基準として選択を受け、
キーワード推薦基準に従って、拡張した広告キーワードを推薦する前記段階は、
前記露出回数に対するクリック数に基づいて、拡張した広告キーワードを推薦することを特徴とする請求項１に記載の広告キーワード推薦方法。
【請求項５】
広告主からキーワード推薦基準の選択を受ける前記段階は、
前記広告主から広告露出数に対する月予想売上をキーワード推薦基準として選択を受け、
キーワード推薦基準に従って、拡張した広告キーワードを推薦する前記段階は、
前記広告露出数に対する月予想売上に基づいて、拡張した広告キーワードを推薦することを特徴とする請求項１に記載の広告キーワード推薦方法。
【請求項６】
前記キーワード推薦基準に従って、前記キーワードと連関した連関キーワードを整列させる段階、
をさらに含み、
前記広告主からキーワード推薦基準の選択を受ける前記段階は、
前記広告主からキーワード推薦基準に対する設定値の選択をさらに受け、
キーワード推薦基準に従って、拡張した広告キーワードを推薦する前記段階は、
前記整列された連関キーワードのうちから、前記キーワード推薦基準に対する設定値に基づいてキーワードを選択し、前記拡張した広告キーワードとして推薦することを特徴とする請求項１に記載の広告キーワード推薦方法。
【請求項７】
前記広告主からキーワード推薦基準の選択を受ける前記段階は、
前記広告主によってキーワード推薦基準を調節する調節バーが操作されることによって、キーワード推薦基準に対する増加または減少の選択を受けることを特徴とする請求項１に記載の広告キーワード推薦方法。
【請求項８】
請求項１乃至７の内のいずれか一項に記載の方法をコンピュータに実行させるためのプログラムを記録したコンピュータ読み取り可能な記録媒体。
【請求項９】
広告主からキーワードの入力を受ける入力部と、
前記広告主からキーワード推薦基準の選択を受ける選択部と、
前記キーワード推薦基準に従って、拡張した広告キーワードを推薦する推薦部と、
を含むことを特徴とする広告キーワード推薦システム。
【請求項１０】
前記選択部は、
前記広告主から広告に対するクリックあたりの費用を前記キーワード推薦基準として選択を受け、
前記推薦部は、
前記広告に対するクリックあたりの費用に基づいて、拡張した広告キーワードを推薦することを特徴とする請求項９に記載の広告キーワード推薦システム。
【請求項１１】
前記選択部は、
前記広告主からキーワードに対する照会数を前記キーワード推薦基準として選択を受け、
前記推薦部は、
前記キーワードに対する照会数に基づいて、拡張した広告キーワードを推薦することを特徴とする請求項９に記載の広告キーワード推薦システム。
【請求項１２】
前記選択部は、
前記広告主から露出回数に対するクリック数を前記キーワード推薦基準として選択を受け、
前記推薦部は、
前記露出回数に対するクリック数に基づいて、拡張した広告キーワードを推薦することを特徴とする請求項９に記載の広告キーワード推薦システム。
【請求項１３】
前記選択部は、
前記広告主から広告露出数に対する月予想売上をキーワード推薦基準として選択を受け、
前記推薦部は、
前記広告露出数に対する月予想売上に基づいて、拡張した広告キーワードを推薦することを特徴とする請求項９に記載の広告キーワード推薦システム。
【請求項１４】
前記選択部は、
前記広告主によってキーワード推薦基準を調節する調節バーが操作されることによって、キーワード推薦基準に対する増加または減少の可否の選択を受けることを特徴とする請求項９に記載の広告キーワード推薦システム。
【請求項１５】
前記キーワード推薦基準に従って、前記キーワードと連関した連関キーワードを整列させる整列部、
をさらに含み、
前記選択部は、
前記広告主からキーワード推薦基準に対する設定値の選択を受け、
前記推薦部は、
前記整列された連関キーワードのうちから、前記キーワード推薦基準に対する設定値に基づいて選択されたキーワードを、前記拡張した広告キーワードとして推薦することを特徴とする請求項９に記載の広告キーワード推薦システム。
【発明の詳細な説明】
【技術分野】
【０００１】
本発明は、キーワード推薦基準に従って広告キーワードを推薦する方法およびそのシステムに関し、より詳細には、広告主から広告キーワードを推薦するためのキーワード推薦基準の選択を受け、キーワード推薦基準に従って、拡張した広告キーワードを推薦する方法およびそのシステムに関する。
【背景技術】
【０００２】
一般的に、広告キーワード推薦方法は、広告主が広告しようとする広告対象に対応する広告キーワードを推薦する。一例として、広告主が「ナイキ」という商品を広告しようとする場合に、従来の広告キーワード推薦方法では、「ナイキ」を広告キーワードとして推薦する。
【０００３】
このように、従来の広告キーワード推薦方法では、広告主が入力する広告対象に対応する広告キーワードに限定されるため、多様な広告キーワードを提供することができないという問題点を抱えている。
【０００４】
さらに、従来の広告キーワード推薦方法では、広告主が入力するキーワードとマッチングする広告キーワードがない場合には、広告キーワードを推薦することができないため、広告主が所望する広告キーワードを適切に推薦することができないという問題点も抱えている。
【０００５】
したがって、広告主に適合した広告キーワードの提供を受けるためのキーワード推薦基準を調節することができる方法が切に求められている。
【発明の開示】
【発明が解決しようとする課題】
【０００６】
本発明は、前記のような問題点を解決するために案出されたものであって、広告主から広告キーワードを推薦するためのキーワード推薦基準の選択を受け、キーワード推薦基準に従って、拡張した広告キーワードを推薦する方法およびそのシステムを提供することを目的とする。
【０００７】
また、本発明は、広告主から選択されたキーワード推薦基準に基づいて連関キーワードを整列し、拡張した広告キーワードを推薦する方法およびそのシステムを提供することを他の目的とする。
【０００８】
また、本発明は、広告主によって選択されたキーワード推薦基準が広告に対するクリックあたりの費用である場合に、広告に対するクリックあたりの費用に基づいて、拡張した広告キーワードを推薦する方法およびそのシステムを提供することを他の目的とする。
【０００９】
また、本発明は、広告主によって選択されたキーワード推薦基準がキーワード照会数である場合に、キーワード照会数に基づいて、拡張した広告キーワードを推薦する方法およびそのシステムを提供することを他の目的とする。
【００１０】
また、本発明は、広告主によって選択されたキーワード推薦基準が露出（表示）数に対する月予想売上である場合に、露出数に対する月予想売上に基づいて、拡張した広告キーワードを推薦する方法およびそのシステムを提供することを他の目的とする。
【００１１】
また、本発明は、広告主によって選択されたキーワード推薦基準が露出回数に対するクリック数である場合に、露出回数に対するクリック数に基づいて、拡張した広告キーワードを推薦する方法およびそのシステムを提供することを他の目的とする。
【００１２】
また、本発明は、広告主によって選択されたキーワード推薦基準に対する設定値が低められる場合に、連関度が高いキーワードのうち、キーワード推薦基準が低いキーワードを拡張した広告キーワードとして推薦する方法およびそのシステムを提供することを他の目的とする。
【００１３】
さらに、本発明は、広告主によって選択されたキーワード推薦基準に対する設定値が低められる場合に、テールキーワードを拡張した広告キーワードとして推薦する方法およびそのシステムを提供することをさらに他の目的とする。
【課題を解決するための手段】
【００１４】
上述の目的を達成し、従来技術の問題点を解決するために、本発明の一実施形態に係る広告キーワード推薦方法は、広告主からキーワードの入力を受ける段階と、前記広告主からキーワード推薦基準の選択を受ける段階と、前記キーワード推薦基準に従って、拡張した広告キーワードを推薦する段階とを含んでいる。
【００１５】
本発明の他の実施形態に係る広告キーワード推薦システムは、広告主からキーワードの入力を受ける入力部と、前記広告主からキーワード推薦基準の選択を受ける選択部と、前記キーワード推薦基準に従って、拡張した広告キーワードを推薦する推薦部とを含んでいる。
【発明の効果】
【００１６】
本発明によれば、広告主から広告キーワードを推薦するためのキーワード推薦基準の選択を受け、キーワード推薦基準に従って、拡張した広告キーワードを推薦する方法およびそのシステムを提供することができる。
【００１７】
また、本発明によれば、広告主から選択されたキーワード推薦基準に基づいて連関キーワードを整列し、拡張した広告キーワードを推薦する方法およびそのシステムを提供することができる。
【００１８】
また、本発明によれば、広告主によって選択されたキーワード推薦基準が広告に対するクリックあたりの費用である場合に、広告に対するクリックあたりの費用に基づいて、拡張した広告キーワードを推薦する方法およびそのシステムを提供することができる。
【００１９】
また、本発明によれば、広告主によって選択されたキーワード推薦基準がキーワード照会数である場合に、キーワード照会数に基づいて、拡張した広告キーワードを推薦する方法およびそのシステムを提供することができる。
【００２０】
また、本発明によれば、広告主によって選択されたキーワード推薦基準が露出数に対する月予想売上である場合に、露出数に対する月予想売上に基づいて、拡張した広告キーワードを推薦する方法およびそのシステムを提供することができる。
【００２１】
また、本発明によれば、広告主によって選択されたキーワード推薦基準が露出回数に対するクリック数である場合に、露出回数に対するクリック数に基づいて、拡張した広告キーワードを推薦する方法およびそのシステムを提供することができる。
【００２２】
また、本発明によれば、広告主によって選択されたキーワード推薦基準に対する設定値が低められる場合に、連関度が高いキーワードのうち、キーワード推薦基準が低いキーワードを拡張した広告キーワードとして推薦する方法およびそのシステムを提供することができる。
【００２３】
さらに、本発明によれば、広告主によって選択されたキーワード推薦基準に対する設定値が低められる場合に、テールキーワードを拡張した広告キーワードとして推薦する方法およびそのシステムを提供することができる。
【発明を実施するための最良の形態】
【００２４】
以下、添付の図面を参照しながら、キーワード推薦基準に従って広告キーワードを推薦する方法およびそのシステムについて詳しく説明する。
【００２５】
図１は、本発明に係る広告キーワード推薦システムと広告主端末機との連動関係を示した図である。
【００２６】
図１に示すように、広告キーワード推薦システム２００は、通信網１２０を介して接続された広告主端末機１３０から、広告主によって入力されたキーワードを受信する。また、広告キーワード推薦システム２００は、例えばインターネット、ＷＡＮ、ＬＡＮ等の通信網１２０を介して、広告主によって入力されたキーワード推薦基準を広告主端末機１３０から受信する。ユーザによるキーワード推薦基準の入力は、例えば、広告主端末機１３０に備わっている不図示のキーボードやタッチパネルディスプレイ等を介して行われる。ここで、キーワード推薦基準は、「広告に対するクリックあたりの費用」、「キーワード照会数」、「露出回数に対するクリック数」、または「広告露出数（表示数）に対する月予想売上」などの多様な条件を含むことができる。
【００２７】
広告キーワード推薦システム２００は、キーワード推薦基準に従って、キーワードに対する拡張した広告キーワードを推薦する。ここで、拡張した広告キーワードとは、例えば、キーワード推薦基準に従ってキーワードと連関したキーワードを整列させた後、連関したキーワードのうちから、キーワード推薦基準に基づく設定値によって推薦される（絞り込まれる）広告キーワード等を意味する。
【００２８】
一例として、キーワード推薦基準が「広告に対するクリックあたりの費用」である場合に、広告キーワード推薦システム２００は、広告に対するクリックあたりの費用に基づいて、このキーワードと連関したキーワードを整列させた（このとき、順序付けることもできる）後、連関したキーワードのうちのクリックあたりの費用に基づく設定値に従って、拡張した広告キーワードを推薦することができる。
【００２９】
また、他の一例として、キーワード推薦基準が「キーワード照会数」である場合に、広告キーワード推薦システム２００は、キーワード照会数に基づいて、このキーワードと連関したキーワードを整列させた後、連関したキーワードのうちのキーワード照会数に基づく設定値に従って、拡張した広告キーワードを推薦することができる。
【００３０】
また、他の一例として、キーワード推薦基準が「露出回数に対するクリック数」である場合に、広告キーワード推薦システム２００は、露出回数に対するクリック数に基づいて、このキーワードと連関したキーワードを整列させた後、連関したキーワードのうちの露出回数に対するクリック数に基づく設定値に従って、拡張した広告キーワードを推薦することができる。
【００３１】
また、他の一例として、キーワード推薦基準が「広告露出数に対する月予想売上」である場合に、広告キーワード推薦システム２００は、広告露出数に対する月予想売上に基づいて、このキーワードと連関したキーワードを整列させた後、連関したキーワードのうちの広告露出数に対する月予想売上に基づく設定値に従って、拡張した広告キーワードを推薦することができる。
【００３２】
広告主端末機１３０は、通信網１２０を介して接続された広告キーワード推薦システム２００から、推薦された広告キーワードの提供を受ける。
【００３３】
このように、本発明に係る広告キーワード推薦システム２００は、広告主から広告キーワードを推薦するためのキーワード推薦基準の選択を受け、キーワード推薦基準に従って、拡張した広告キーワードを推薦することができる。
【００３４】
図２は、本発明の一実施形態に係る広告キーワード推薦システム２００の構成を示した図である。
【００３５】
図２に示すように、広告キーワード推薦システム２００は、入力部２１０と、選択部２２０と、整列部２３０と、データベース２４０と、推薦部２５０とを含む。
【００３６】
入力部２１０は、広告主により広告主端末機１３０にて入力されたキーワードを、通信網１２０を介して受け付ける。すなわち、入力部２１０は、広告主から広告しようとする対象と連関したキーワードの入力を受ける。一例として、広告しようとする対象が「ナイキ」である場合に、入力部２１０は、広告主から「ナイキ」というキーワードの入力を受けることができる。
【００３７】
選択部２２０は、広告主からキーワード推薦基準の選択を受ける。すなわち、選択部２２０は、広告主から広告に対するクリックあたりの費用（Ｐａｙ  Ｐｅｒ  Ｃｌｉｃｋ）、キーワード照会数、露出回数に対するクリック数（Ｃｌｉｃｋ  Ｔｈｒｏｕｇｈ  Ｒａｔｅ）、または広告露出数に対する月予想売上などのキーワード推薦基準の選択を受ける。一例として、選択部２２０は、広告主から広告に対するクリックあたりの費用を、キーワード推薦基準として選択を受けることができる。また、他の一例として、選択部２２０は、広告主からキーワードに対する照会数を、キーワード推薦基準として選択を受けることができる。また、他の一例として、選択部２２０は、広告主から露出回数に対するクリック数を、キーワード推薦基準として選択を受けることができる。また、他の一例として、選択部２２０は、広告主から広告露出数に対する月予想売上を、キーワード推薦基準として選択を受けることができる。さらに、選択部２２０は、図３または図４に示されるように、広告主によってキーワード推薦基準を調節する調節バー３２０、４２０が操作されることによって、キーワード推薦基準に対する増加または減少の選択を受けることができる。
【００３８】
整列部２３０は、キーワード推薦基準に従って、入力されたキーワードと連関した連関キーワードを整列させる。すなわち、整列部２３０は、キーワード推薦基準に従って、入力キーワードと連関する、データベース２４０に記録された連関キーワードを整列（例えば、所定のルールで配列されるリスト表示）させる。一例として、キーワード推薦基準が広告に対するクリックあたりの費用である場合に、整列部２３０は、データベース２４０を参照し、広告に対するクリックあたりの費用に基づいて、入力キーワードと連関する、データベース２４０に記録された連関キーワードを整列させることができる。また、他の一例として、キーワード推薦基準がキーワード照会数である場合に、整列部２３０は、データベース２４０を参照し、キーワード照会数に基づいて、入力キーワードと連関する、データベース２４０に記録された連関キーワードを整列させることができる。また、他の一例として、キーワード推薦基準が露出回数に対するクリック数である場合に、整列部２３０は、データベース２４０を参照し、露出回数に対するクリック数に基づいて、入力キーワードと連関する、データベース２４０に記録された連関キーワードを整列させることができる。さらに、他の一例として、キーワード推薦基準がキーワード露出数に対する月予想売上である場合に、整列部２３０は、データベース２４０を参照し、キーワード露出数に対する月予想売上に基づいて、入力キーワードと連関する、データベース２４０に記録された連関キーワードを整列させることができる。
【００３９】
データベース２４０は、ユーザが広告しようとする広告に対する入力キーワード、入力キーワードと連関する連関キーワード、および広告キーワードを推薦するための各種データ、を記録して保持する。
【００４０】
推薦部２５０は、キーワード推薦基準に従って、拡張した広告キーワードを推薦する。一例として、キーワード推薦基準が広告に対するクリックあたりの費用である場合に、推薦部２５０は、広告に対するクリックあたりの費用に基づいて、拡張した広告キーワードを推薦することができる。また、他の一例として、キーワード推薦基準がキーワードに対する照会数である場合に、推薦部２５０は、キーワードに対する照会数に基づいて、拡張した広告キーワードを推薦することができる。また、他の一例として、キーワード推薦基準が露出回数に対するクリック数である場合に、推薦部２５０は、露出回数に対するクリック数に基づいて、拡張した広告キーワードを推薦することができる。また、他の一例として、キーワード推薦基準がキーワード露出数に対する月予想売上である場合に、推薦部２５０は、キーワード露出数に対する月予想売上に基づいて、拡張した広告キーワードを推薦することができる。さらに、推薦部２５０は、整列された連関キーワードのうち、キーワード推薦基準に対する設定値に基づいて選択されたキーワードを、拡張した広告キーワードとして推薦する。
【００４１】
このように、本発明に係る広告キーワード推薦システム２００は、広告主から広告キーワードを推薦するためのキーワード推薦基準の選択を受け、キーワード推薦基準に従って、拡張した（キーワード推薦基準およびキーワード推薦基準に対する設定値の選択によって、連関キーワード群の中から抽出された）広告キーワードを推薦することができる。
【００４２】
図３は、広告キーワード推薦のためのキーワード推薦基準を選択する画面の一例を示した図である。同図に示す画面は、例えば、広告主端末機１３０に備わっているディスプレイ等にて画面表示され、広告主に提示される。
【００４３】
図３に示すように、図面符号３１０は、広告主から「ナイキ」というキーワードの入力を受けた場合の一例を示しており、図面符号３２０は、キーワード推薦基準を調節するための調節バーを示しており、図面符号３３０は、キーワード推薦基準に従って、拡張した広告キーワードに対する推薦結果を提供する画面の一例を示している。なお、ここでの調節バー３２０は、例えば広告主端末機１３０に備わっているキーボード、マウス、タッチパネルディスプレイ等の入力インターフェースを介したユーザの操作入力に基づいて操作される。
【００４４】
なお、ここでの調節バーによるキーワード推薦基準の調節とは、一例を挙げると、推薦基準として「広告に対するクリックあたりの費用」が選択されている場合には費用の額の大小の調節に相当し、推薦基準として「キーワード照会数」が選択されている場合には照会数の多少の調節に相当し、推薦基準として「露出回数に対するクリック数」が選択されている場合にはクリック数の多少の調節に相当し、推薦基準として「広告露出数（表示数）に対する月予想売上」が選択されている場合には月予想売上額の大小の調整に相当する。
【００４５】
入力部２１０は、広告主端末機１３０から通信網１２０を介して、「ナイキ」３１０というキーワードの入力を受ける。また、選択部２２０は、キーワード推薦基準を調節するための調節バー３２０に対する広告主の操作によって、キーワード推薦基準の選択を受ける。このとき、調節バー３２０は、広告主の操作によって、キーワード推薦基準を減少させたり増加させたりする方向に移動される。一例として、キーワード推薦基準が広告に対するクリックあたりの費用である場合に、推薦部２５０は、調節バー３２０によって増加または減少した広告に対するクリックあたりの費用に従い、推薦結果提供画面３３０を介して、拡張した広告キーワードを推薦することができる。
【００４６】
図４は、キーワード推薦基準に従って推薦された広告キーワードの一例を示した図である。同図に示す画面は、例えば、広告主端末機１３０に備わっているディスプレイ等にて画面表示され、広告主に提示される。
【００４７】
図４に示すように、図面符号４１０は、広告主によって「ナイキ」というキーワードが入力された場合を示しており、図面符号４２０は、キーワード推薦基準を調節するための調節バー４２０が、キーワード推薦基準を減少させる方向に移動した場合を示しており、図面符号４３０は、調節バー４２０によって減少したキーワード推薦基準に従って、拡張した広告キーワードに対する推薦結果が提供される画面の一例を示している。
【００４８】
一例として、広告主によって調節バー４２０が広告に対するクリックあたりの費用が減少する方向に移動された場合に、推薦部２５０は、「ナイキ」というキーワードと連関度が高い広告キーワードのうちから、広告に対するクリックあたりの費用が低い広告キーワードを推薦することができる。すなわち、広告主によって調節バー４２０が広告に対するクリックあたりの費用が減少する方向に移動された場合に、推薦部２５０は、推薦結果提供画面４３０を介して、「ナイキ運動靴４３１、ナイキ衣類４３２」などのテールキーワード（ｔａｉｌ  ｋｅｙｗｏｒｄ）を、拡張した広告キーワードとして推薦することができる。ここで、テールキーワードとは、連関キーワードの一例であって、広告主によって入力されたキーワードの後に、入力されたキーワードと連関した単語がさらに追加されたキーワードを意味する。
【００４９】
データベース２４０は、例えば、キーワード群と、該キーワード群と連関する連関キーワードとを対応付けて、キーワード推薦基準毎に個別に格納することができる。この場合におけるキーワード群と連関キーワードとの対応付けは、そのキーワード推薦基準から見た、各連関キーワードの重要度や影響度に基づいて、キーワード群に対して順序付けて行うことができる。これにより、広告主がキーワード推薦基準として例えば「広告に対するクリックあたりの費用」を選択した場合には、調節バー４２０が減少側に近づく程、少額の「広告に対するクリックあたりの費用」に対応づけられているキーワード群がリスト表示され、調節バー４２０が増加側に近づく程、多額の「広告に対するクリックあたりの費用」に対応づけられているキーワード群がリスト表示される。
【００５０】
図５は、本発明の他の実施形態に係る広告キーワード推薦方法を説明するためのフローチャートである。
【００５１】
図５に示すように、段階５１０で、広告キーワード推薦システム２００は、広告主端末機１３０にて広告主により入力されたキーワードを、通信網１２０を介して受け付ける。すなわち、段階５１０で、広告キーワード推薦システムは、広告主から広告しようとする対象に対するキーワードの入力を受ける。一例として、広告しようとする対象に対する代表キーワードが「ナイキ」である場合に、段階５１０で、広告キーワード推薦システム２００は、図３または図４に示されたように、広告主から「ナイキ」というキーワードの入力を受けることができる。
【００５２】
段階５２０で、広告キーワード推薦システム２００は、広告主からキーワード推薦基準の選択を受ける。すなわち、段階５２０で、広告キーワード推薦システムは、広告主から広告に対するクリックあたりの費用、キーワード照会数、露出回数に対するクリック数、または広告露出数に対する月予想売上などのキーワード推薦基準の選択を受ける。
【００５３】
一例として、広告主により選択されたキーワード推薦基準が「広告に対するクリックあたりの費用」である場合に、段階５２０で、広告キーワード推薦システム２００は、広告に対するクリックあたりの費用が増加または減少するように調節する広告主の操作によって設定された広告に対するクリックあたりの費用を、キーワード推薦基準に関する選択として受け付ける。
【００５４】
また、他の一例として、キーワード推薦基準がキーワード照会数である場合に、段階５２０で、広告キーワード推薦システム２００は、キーワード照会数が増加または減少するように調節する広告主の操作によって設定されたキーワード照会数を、キーワード推薦基準に関する選択として受け付けることができる。
【００５５】
また、他の一例として、キーワード推薦基準が露出回数に対するクリック数である場合に、段階５２０で、広告キーワード推薦システム２００は、露出回数に対するクリック数が増加または減少するように調節する広告主の操作によって設定された露出回数に対するクリック数を、キーワード推薦基準に関する選択として受け付けることができる。
【００５６】
さらに、他の一例として、キーワード推薦基準が広告露出数に対する月予想売上である場合に、段階５２０で、広告キーワード推薦システム２００は、広告露出数に対する月予想売上が増加または減少するように調節する広告主の操作によって設定された広告露出数に対する月予想売上を、キーワード推薦基準に関する選択として受け付けることができる。
【００５７】
また、段階５２０で、広告キーワード推薦システム２００は、図３または図４に示したように、広告主によってキーワード推薦基準を調節する調節バー３２０、４２０の操作によって、キーワード推薦基準に対する増加または減少の選択を受け付けることができる。
【００５８】
このように、本発明に係る広告キーワード推薦方法では、広告主によるキーワード推薦基準の選択を多様なかたちで受け付けることができる。
【００５９】
段階５３０で、広告キーワード推薦システム２００は、キーワード推薦基準に従って、拡張した広告キーワードを推薦する。すなわち、段階５３０で、広告キーワード推薦システム２００は、キーワード推薦基準に基づいて、入力されたキーワードに対応する拡張した広告キーワードを推薦する。
【００６０】
一例として、キーワード推薦基準が広告に対するクリックあたりの費用である場合に、段階５３０で、広告キーワード推薦システム２００は、広告に対するクリックあたりの費用に基づいて、拡張した広告キーワードを推薦することができる。
【００６１】
また、他の一例として、キーワード推薦基準がキーワードに対する照会数である場合に、段階５３０で、広告キーワード推薦システムキーワード推薦基準およびキーワード推薦基準に対する設定値の選択は、キーワードに対する照会数に基づいて、拡張した広告キーワードを推薦することができる。
【００６２】
また、他の一例として、キーワード推薦基準が露出回数に対するクリック数である場合に、段階５３０で、広告キーワード推薦システムキーワード推薦基準およびキーワード推薦基準に対する設定値の選択は、露出回数に対するクリック数に基づいて、拡張した広告キーワードを推薦することができる。
【００６３】
また、他の一例として、キーワード推薦基準が広告露出数に対する月予想売上である場合に、段階５３０で、広告キーワード推薦システムキーワード推薦基準およびキーワード推薦基準に対する設定値の選択は、広告露出数に対する月予想売上に基づいて、拡張した広告キーワードを推薦することができる。
【００６４】
さらに、他の一例として、広告主によって選択されたキーワード推薦基準に対する設定値が低められる場合に、段階５３０で、広告キーワード推薦システムキーワード推薦基準およびキーワード推薦基準に対する設定値の選択は、テールキーワードを拡張した広告キーワードとして推薦することができる。
【００６５】
このように、本発明に係る広告キーワード推薦方法は、広告主から広告キーワードを推薦するためのキーワード推薦基準の選択を受け、キーワード推薦基準に従って、拡張した広告キーワードを推薦することができる。
【００６６】
図６は、本発明のさらに他の実施形態に係る広告キーワード推薦方法を説明するためのフローチャートである。
【００６７】
図６に示すように、段階６１０で、広告キーワード推薦システム２００は、広告主からキーワードの入力を受ける。すなわち、段階６１０で、広告キーワード推薦システム２００は、広告主から広告しようとする対象に対するキーワードの入力を受ける。一例として、広告しようとする対象に対する代表キーワードが「ナイキ」である場合に、段階６１０で、広告キーワード推薦システム２００は、図３または図４に示されたように、広告主から「ナイキ３１０、４１０」というキーワードの入力を受けることができる。
【００６８】
段階６２０で、広告キーワード推薦システム２００は、広告主からキーワード推薦基準およびキーワード推薦基準に対する設定値の選択を受ける。すなわち、段階６２０で、広告キーワード推薦システム２００は、広告主から広告に対するクリックあたりの費用、キーワード照会数、露出回数に対するクリック数、または広告露出数に対する月予想売上などのキーワード推薦基準およびキーワード推薦基準に対する設定値の選択を受ける。
【００６９】
一例として、段階６２０で、広告キーワード推薦システム２００は、広告主から広告に対するクリックあたりの費用をキーワード推薦基準として選択を受け、広告に対するクリックあたりの費用が増加または減少するように調節する広告主の操作によって、キーワード推薦基準に対する設定値の選択を受けることができる。
【００７０】
また、他の一例として、段階６２０で、広告キーワード推薦システム２００は、広告主からキーワード照会数をキーワード推薦基準として選択を受け、キーワード照会数が増加または減少するように調節する広告主の操作によって、キーワード推薦基準に対する設定値の選択を受けることができる。
【００７１】
また、他の一例として、段階６２０で、広告キーワード推薦システム２００は、広告主から露出回数に対するクリック数をキーワード推薦基準として選択を受け、露出回数に対するクリック数が増加または減少するように調節する広告主の操作によって、キーワード推薦基準に対する設定値の選択を受けることができる。
【００７２】
さらに、他の一例として、段階６２０で、広告キーワード推薦システム２００は、広告主から広告露出数に対する月予想売上をキーワード推薦基準として選択を受け、広告露出数に対する月予想売上が増加または減少するように調節する広告主の操作によって、キーワード推薦基準に対する設定値の選択を受け付けることができる。
【００７３】
段階６２０で、広告キーワード推薦システム２００は、図３または図４に示されたように、広告主によってキーワード推薦基準を調節する調節バー３２０、４２０が操作されることによって、キーワード推薦基準を増加または減少させるための設定値の選択を受けることができる。
【００７４】
段階６３０で、広告キーワード推薦システム２００は、キーワード推薦基準に従って、キーワードと連関した連関キーワードを整列させる。すなわち、段階６３０で、広告キーワード推薦システムは、キーワード推薦基準に従って、広告主によって入力されたキーワードと連関した連関キーワードを整列させる。
【００７５】
一例として、キーワード推薦基準が広告に対するクリックあたりの費用である場合に、段階６３０で、広告キーワード推薦システム２００は、広告に対するクリックあたりの費用に従って、広告主によって入力されたキーワードと連関した連関キーワードを整列させることができる。
【００７６】
また、他の一例として、キーワード推薦基準がキーワード照会数である場合に、段階６３０で、広告キーワード推薦システム２００は、キーワード照会数に従って、広告主によって入力されたキーワードと連関した連関キーワードを整列させることができる。
【００７７】
また、他の一例として、キーワード推薦基準が露出回数に対するクリック数である場合に、段階６３０で、広告キーワード推薦システム２００は、露出回数に対するクリック数に従って、広告主によって入力されたキーワードと連関した連関キーワードを整列させることができる。
【００７８】
さらに、他の一例として、キーワード推薦基準が広告露出数に対する月予想売上である場合に、段階６３０で、広告キーワード推薦システム２００は、広告露出数に対する月予想売上に従って、広告主によって入力されたキーワードと連関した連関キーワードを整列させることができる。
【００７９】
段階６４０で、広告キーワード推薦システム２００は、整列された連関キーワードのうちから、キーワード基準に対する設定値に基づいてキーワードを選択し、拡張した広告キーワードとして推薦する。すなわち、段階６４０で、広告キーワード推薦システムは、整列された連関キーワードのうちから、キーワード推薦基準に対する設定値に基づいてキーワードを選択し、拡張した広告キーワードとして推薦する。
【００８０】
一例として、キーワード推薦基準が広告に対するクリックあたりの費用である場合に、段階６４０で、広告キーワード推薦システム２００は、広告に対するクリックあたりの費用によって整列された連関キーワードのうちから、広告に対するクリックあたりの費用に対する設定値に基づいてキーワードを選択し、拡張した広告キーワードとして推薦することができる。
【００８１】
また、他の一例として、キーワード推薦基準がキーワードに対する照会数である場合に、段階６４０で、広告キーワード推薦システム２００は、キーワードに対する照会数によって整列された連関キーワードのうちから、キーワードに対する照会数に対する設定値に基づいてキーワードを選択し、拡張した広告キーワードとして推薦することができる。
【００８２】
また、他の一例として、キーワード推薦基準が露出回数に対するクリック数である場合に、段階６４０で、広告キーワード推薦システム２００は、露出回数に対するクリック数によって整列された連関キーワードのうちから、露出回数に対するクリック数に対する設定値に基づいてキーワードを選択し、拡張した広告キーワードとして推薦することができる。
【００８３】
また、他の一例として、キーワード推薦基準が広告露出数に対する月予想売上である場合に、段階６４０で、広告キーワード推薦システム２００は、広告露出数に対する月予想売上によって整列された連関キーワードのうちから、広告露出数に対する月予想売上に対する設定値に基づいてキーワードを選択し、拡張した広告キーワードとして推薦することができる。
【００８４】
また、他の一例として、広告主によって選択されたキーワード推薦基準に対する設定値が低められる場合に、段階６４０で、広告キーワード推薦システム２００は、連関度が高いキーワードのうちから、キーワード推薦基準が低いキーワードを拡張した広告キーワードとして推薦することができる。
【００８５】
このように、本発明に係る広告キーワード推薦方法は、広告主から広告キーワードを推薦するためのキーワード推薦基準およびキーワード推薦基準に対する設定値の選択を受け、キーワード推薦基準に従って整列された連関キーワードのうちから、キーワード推薦基準に対する設定値に基づいてキーワードを選択し、拡張した広告キーワードとして推薦することができる。
【００８６】
なお、上述の実施の形態では、キーワード推薦基準の選択が行われた後に、キーワード推薦基準に対する設定値の調節が行われる手順を例に挙げたが、必ずしもこの順序に限られるものではなく、例えば、選択されるであろうキーワード推薦基準に対する設定値の調節が行われた後に、キーワード推薦基準の選択が行われるような手順とすることができる場合もある。
【００８７】
また、上記キーワード推薦基準の選択およびキーワード推薦基準に対する設定値の調節に関する操作入力は、必ずしも広告主端末機１３０上で行われる必要はなく、結果として、広告キーワード推薦システム２００にて上記操作入力の内容を取得することができれば、その入力場所は問わない。
【００８８】
なお、本発明に係るキーワード推薦方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００８９】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００９０】
【図１】本発明に係る広告キーワード推薦システムと広告主端末機との連動関係を示した図である。
【図２】本発明の一実施形態に係る広告キーワード推薦システムの構成を示した図である。
【図３】広告キーワード推薦のためのキーワード推薦基準を選択する画面の一例を示した図である。
【図４】キーワード推薦基準に従って推薦された広告キーワードの一例を示した図である。
【図５】本発明の他の実施形態に係る広告キーワード推薦方法を説明するためのフローチャートである。
【図６】本発明のさらに他の実施形態に係る広告キーワード推薦方法を説明するためのフローチャートである。
【符号の説明】
【００９１】
２００：広告キーワード推薦システム
２１０：入力部
２２０：選択部
２３０：整列部
２４０：データベース
２５０：推薦部
【図１】
2008276770.tif 000003
【図２】
2008276770.tif 000004
【図３】
2008276770.tif 000005
【図４】
2008276770.tif 000006
【図５】
2008276770.tif 000007
【図６】
2008276770.tif 000008